(57)【要約】【課題】            一体的な成形によって断熱性パネルに枠体を組み込む構造を実現し、簡略な構造において空気調和機の内部雰囲気および外気に対する露出面積を抑制して、断熱性および気密性の向上を図った空気調和機の点検扉構造を提供する。【解決手段】        壁体５２に形成した開口部に扉体５３を開閉可能に嵌入配置するものであって、扉体５３をなすパネル部５８の外周縁に沿って扉外枠を形成する枠体５９を配置し、枠体５９が壁体５２の開口部の内周縁と扉体５３の外周縁との対向する端面間の間隙内に、かつ扉体５３の表裏面間の厚み幅内に納められたものである。【選択図】          図１
2007032947.tif 000002
【特許請求の範囲】
【請求項１】
壁体に形成した開口部に扉体を開閉可能に嵌入配置するものであって、扉体をなすパネル部の外周縁に沿って扉外枠を形成する枠体を配置し、枠体が壁体の開口部の内周縁と扉体の外周縁との対向する端面間の間隙内に、かつ扉体の表裏面間の厚み幅内に納められたことを特徴とする空気調和機の点検扉構造。
【請求項２】
壁体に形成した開口部に扉体を開閉可能に嵌入配置するものであって、壁体をなすパネル部の開口部の内周縁に沿って扉受け枠を形成する枠体を配置し、枠体が壁体の開口部の内周縁と扉体の外周縁との対向する端面間の間隙内に、かつ壁体の表裏面間の厚み幅内に納められたことを特徴とする空気調和機の点検扉構造。
【請求項３】
パネル部の表裏に配置する外板の周縁部を折り曲げ形成し、この周縁部を枠体の差込溝部に差し込んで枠体に外板を組み付け、外板間に断熱材を充填配置してパネル部と枠体を一体的に成形したことを特徴とする請求項１または２に記載の空気調和機の点検扉構造。
【請求項４】
枠体が、パネル部の一部を差し込む差込溝部と、パッキンを支持するパッキン支持部と、差込溝部およびパッキン支持部と一体成型し、差込溝部とパッキン支持部の間に配置する本体部とを有し、パッキン支持部および本体部を中空状に形成したことを特徴とする請求項１又は２に記載の空気調和機の点検扉構造。
【発明の詳細な説明】
【技術分野】
【０００１】
本発明は空気調和機の点検扉構造に関し、断熱性、気密性を高める技術に係るものである。
【背景技術】
【０００２】
従来、この種の扉構造としては、例えば特許文献１に記載するものがある。この発明の概略を図９および図１０を参照して説明する。
空気調和機は、ケーシング１の内部に設置する送風機や熱交換器などの機器を点検するために、ケーシング１を構成する外壁パネル２に点検用開口を形成しており、この点検用開口に嵌入させて扉３を設けている。
【０００３】
外壁パネル２の点検用開口には開口枠体４を設け、扉３の外周縁には扉枠体５を設けている。点検用開口の開口枠体４と扉３の扉枠体５は断面形状がコ字状の同一形状をなし、空気調和機の内外方向に配置する一辺が主部４ａ、５ａをなし、主部４ａ、５ａの両端に設ける二辺がそれぞれ外壁パネル２または扉３に対する取付部４ｂ、５ｂをなし、取付部４ｂ、５ｂにおいてビス６により外壁パネル２または扉３に固定している。
【０００４】
点検用開口の開口枠体４と扉３の扉枠体５には、ケーシング１の気密性を保つために、少なくとも一方にガスケット７を取り付けている。ガスケット７は開口枠体４と扉枠体５に沿って連続して延びる一体物で形成したものである。このガスケット７を配置するために、開口枠体４と扉枠体５の主部４ａ、５ａには所定厚みの受部４ｃ、５ｃを設けており、双方の受部４ｃ、５ｃの間においてガスケット７を圧接している。
【０００５】
さらに、ケーシング１の気密性を高めるために、外壁パネル２と開口枠体４の取付部４ｂとの間、および扉３と扉枠体５の取付部５ｂの間にはシール剤８を塗布している。
次に、他の空気調和機の扉構造として、例えばクリーンルーム用空気調和機に使用される点検扉を図１１から図１２に示す。図１１から図１２において、ケーシング１１の開口部には開口枠体１２を配置しており、開口枠体１２に扉体１３をヒンジ１４で取り付けている。
【０００６】
開口枠体１２は一枚の薄板を曲げ加工してなり、ケーシング１１に取付ネジ１５によって固定装着する取付部１２ａと、扉体１３を受け止める扉受部１２ｂと、空気調和機の内外方向に配置して取付部１２ａと扉受部１２ｂを連結する連結部１２ｃからなる。
【０００７】
開口枠体１２の取付部１２ａ、扉受部１２ｂおよび扉体１３の内側周縁部１３ａにはそれぞれパッキン材１６、１７、１８を配置しており、パッキン材１７、１８が圧密に当接して扉受部１２ｂと扉体１３の間の気密性を維持する。
【０００８】
開口枠体１２には複数の締付具１９をそれぞれ所定位置に設けている。締付具１９は開口枠体１２に取り付けるスタッド２０と、このスタッド２０の植込ボルト２１に挿通した扉押圧部２２と、植込ボルト２１に螺合するハンドル部２３とを備えており、ハンドル部２３を締め込んで扉押圧部２２を介して扉体１３を扉受部１２ｂに押圧し、パッキン材１７、１８を相互に圧接させる。
【特許文献１】特開平１０−９４８１号公報
【発明の開示】
【発明が解決しようとする課題】
【０００９】
ところで、空気調和機は運転時に内部と外部とで温度差が有る。このため、特許文献１に記載するように、開口枠体４と扉枠体５に所要厚さの中実体の部材を使用し、外壁パネル２または扉３に対する取付部４ｂ、５ｂが空気調和機の内部側および外部側に露出する構造においては、取付部４ｂ、５ｂが空気調和機の内部雰囲気に対する伝熱面または外気に対する伝熱面となるとともに、中実体の主部４ａ、５ａを介して熱伝達することで、吸熱、放熱を起こし易い。
【００１０】
同様に、クリーンルーム用空気調和機の点検扉においても、取付部１２ａと扉受部１２ｂが空気調和機の外気に対する伝熱面または内部雰囲気に対する伝熱面となり、連結部１２ｃを介して熱伝達することで、吸熱、放熱を起こし易い。また、連結部１２ｃは薄板であることにより断熱性に乏しい。
【００１１】
このため、従来の空気調和機の点検扉は、空気調和機の熱効率を低下させたり、点検蓋の周囲のケーシングに結露を生じて腐蝕する原因が構造的に内在している。
また、クリーンルーム用空気調和機の点検扉は、閉扉時に締付具１９のハンドル部２３を締め込むことで扉押圧部２２を介して扉体１３を扉受部１２ｂに押圧し、パッキン材１７、１８を圧接させる操作を必要とし、開扉時に逆の操作を必要とする。このため、扉の開閉操作が煩わしく、作業性が悪かった。
【００１２】
また、例えば、特許文献１に記載するものでは、構造的に開口枠体４と外壁パネル２、扉３と扉枠体５を一体成形することが困難であるために、それぞれを別体のものとして成形し、その後に組み立てる構造である。このために、扉３と扉枠体５の取付部５ｂの間、外壁パネル２と開口枠体４の取付部４ｂの間にシール剤８を塗布することが必要となる。しかし、シール作業に手間が掛かりその施工性が悪く、シール作業が不完全であると気密性を保つことができずにエアリークの可能性が高くなる。
【００１３】
本発明は上記した課題を解決するものであり、一体的な成形によって断熱性パネルに枠体を組み込む構造を実現し、簡略な構造において空気調和機の内部雰囲気および外気に対する露出面積を抑制して、断熱性および気密性の向上を図った空気調和機の点検扉構造を提供することを目的とする。
【課題を解決するための手段】
【００１４】
上記課題を解決するために、本発明の空気調和機の点検扉構造は、壁体に形成した開口部に扉体を開閉可能に嵌入配置するものであって、扉体をなすパネル部の外周縁に沿って扉外枠を形成する枠体を配置し、枠体が壁体の開口部の内周縁と扉体の外周縁との対向する端面間の間隙内に、かつ扉体の表裏面間の厚み幅内に納められたものである。
【００１５】
本発明の空気調和機の点検扉構造は、壁体に形成した開口部に扉体を開閉可能に嵌入配置するものであって、壁体をなすパネル部の開口部の内周縁に沿って扉受け枠を形成する枠体を配置し、枠体が壁体の開口部の内周縁と扉体の外周縁との対向する端面間の間隙内に、かつ扉体の表裏面間の厚み幅内に納められたものである。
【００１６】
また、パネル部の表裏に配置する外板の周縁部を折り曲げ形成し、この周縁部を枠体の差込溝部に差し込んで枠体に外板を組み付け、外板間に断熱材を充填配置してパネル部と枠体を一体的に成形したものである。
【００１７】
また、枠体が、パネル部の一部を差し込む差込溝部と、パッキンを支持するパッキン支持部と、差込溝部およびパッキン支持部と一体成型し、差込溝部とパッキン支持部の間に配置する本体部とを有し、パッキン支持部および本体部を中空状に形成したものである。
【発明の効果】
【００１８】
以上のように本発明によれば、扉体または壁体をなすパネル部の周縁に配置する枠体を、壁体の開口部の内周縁と扉体の外周縁との対向する端面間の間隙内に、かつ扉体の表裏面間の厚み幅内に納めることにより、枠体は扉体または壁体の表裏面上において露出する部位がなくなり、内部雰囲気および外気に対して伝熱面となる面積が少なくなり、枠体を通した熱伝達を抑制して断熱性を向上させることができる。
【００１９】
また、パネル部の外板の周縁部を枠体の差込溝部で差し込み、外板間に断熱材を充填してパネル部と枠体を一体的に成形することにより、パネル部と枠体を結合するためにビス等の別途の締結手段を必要とせず、パネル部と枠体の間に気密性を確保するためのシール材が不要となり、簡略な構造において気密性を向上させることができる。
【００２０】
また、枠体のパッキン支持部および本体部が中空状をなして内部に空気層を作ることにより枠体を通した熱伝達を抑制して断熱性を向上させることができる。
【発明を実施するための最良の形態】
【００２１】
以下、本発明の実施の形態を図１〜図８の図面に基づいて説明する。図２および図３に示すように、空気調和機５１は、内部と外部を隔てる壁体５２に形成した開口部に点検扉をなす扉体５３を嵌入配置しており、壁体５２の外側に配置したヒンジ５４で扉体５３の一側を支持し、扉体５３を外側に開閉可能に設けている。この構造は空気調和機５１において、扉体５３を隔てた内部の室内雰囲気の圧力が外部の外気圧力より低くなる領域に設ける場合に好適である。
【００２２】
空気調和機５１において、扉体５３を隔てた内部の室内雰囲気の圧力が外部の外気圧力より高くなる領域に扉体５３を設ける場合には、図６および図７に示すように、ヒンジ５４を壁体５２の内側に配置し、扉体５３を内側に開閉可能に設ける構成が好適である。
【００２３】
扉体５３の両側のそれぞれには上下一対のハンドル５５を設けており、ハンドル５５のキー部５６に係合する受け金具５７を壁体５２に設けている。ハンドル５５は、キー部５６が受け金具５７に係合するロック状態と、キー部５６が受け金具５７から離脱する非ロック状態とにわたって回転し、その回転角度は９０°の範囲内にある。このため、空気調和機の内部を点検する際に、扉体５３を開閉作業を容易に行うことができる。
【００２４】
ハンドル５５は、図８に示すように、扉体５３の一方の側のみに上下一対を設けることも可能であり、設置するハンドル５５の数に制限はなく、必要とする気密性に応じて適宜に配置する。
【００２５】
扉体５３はパネル部５８の外周縁に沿って扉外枠をなす枠体５９を配置しており、壁体５２はパネル部６０に開口部を形成するとともに、開口部の内周縁に沿って扉受け枠をなす枠体６１を配置している。
【００２６】
図１に示すように、扉体５３のパネル部５８は表裏面を形成する一対の外板６２、６２と、外板６２、６２の間に配置する断熱材の発泡ウレタン６３からなり、壁体５２のパネル部６０は表裏面を形成する一対の外板６４、６４と、外板６４、６４の間に配置する断熱材の発泡ウレタン６５からなる。
【００２７】
扉外枠をなす枠体５９と扉受け枠をなす枠体６１は同部材からなるものであり、ＡＢＳ樹脂等の樹脂の押出成形材を使用し、直線部とコーナー部とを連接して一体化したものである。枠体５９、６１は、各パネル部の外板６２、６４の折り曲げた周縁部６２ａ、６４ａを差し込む差込溝部５９ａ、６１ａと、枠体５９、６１に装着するパッキン６６、６７を支持するパッキン支持部５９ｂ、６１ｂと、差込溝部５９ａ、６１ａおよびパッキン支持部５９ｂ、６１ｂと一体成型した本体部５９ｃ、６１ｃとを有し、パッキン支持部５９ｂ、６１ｂおよび本体部５９ｃ、６１ｃが中空状をなす。
【００２８】
扉外枠をなす枠体５９のパッキン支持部５９ｂと扉受け枠をなす枠体６１のパッキン支持部６１ｂは壁体５２および扉体５３の表裏方向において対向し、対向面側に凸部５９ｄ、６１ｄを有する。それぞれの凸部５９ｄ、６１ｄは対向するパッキン６６、６７を押圧し、圧接し合うパッキン６６、６７の面圧を高めて気密性を向上させる。
【００２９】
図５に示すように、扉体５３のパネル部５８は、外板６２が全周にわたって周縁部６２ａを折り曲げて連続立上げ加工を施しており、この周縁部６２ａを枠体５９の差込溝部５９ａに差し込んで枠体５９に外板６２を組み付け、外板６２、６２間に断熱材の発泡ウレタン６３を充填配置することにより、枠体５９と一体的に成形している。
【００３０】
図４に示すように、開口部を有する壁体５２のパネル部６０は、外板６４が全周にわたって周縁部６４ａを折り曲げて連続立上げ加工を施しており、この周縁部６４ａを枠体６１の差込溝部６１ａに差し込んで枠体６１に外板６４を組み付け、外板６４、６４間に断熱材の発泡ウレタン６５を充填配置することにより、枠体６１と一体的に成形している。
【００３１】
他の形態として、扉体５３のパネル部５８、壁体５２のパネル部６０は、木材や樹脂の一体物で形成しても良く、中空体や発泡部材で形成しても良い。
以下、上記した構成における作用を説明する。図１に示すように、扉外枠をなす枠体５９と扉受け枠をなす枠体６１は、差込溝部５９ａ、６１ａと、パッキン支持部５９ｂ、６１ｂと、本体部５９ｃ、６１ｃとが、壁体５２の開口部の内周縁と扉体５３の外周縁との対向する端面間の間隙内に、かつ壁体５２および扉体５３の表裏面間の厚み幅内に納められている。
【００３２】
このため、枠体５９、６１は扉体５３または壁体５２の表裏面上において露出する部位がなくなり、内部雰囲気および外気に対して伝熱面となる面積が少なくなり、枠体５９、６１を通した熱伝達を抑制して断熱性を向上させることができる。
【００３３】
また、枠体５９、６１が扉体５３または壁体５２の表裏面から突出せず、パネル部５８、６０の外板６２、６４の周縁部６２ａ、６４ａを枠体５９、６１の差込溝部５９ａ、６１ａに差し込む構造を有することで、外板６２、６２および６４、６４の間に断熱材の発泡ウレタン６３、６５を充填してパネル部５８、６０と枠体５９、６１を一体的に成形することが可能となる。
【００３４】
このため、パネル部５８、６０と枠体５９、６１とを組付ける作業において、ビス等の別途の締結手段を必要とせず、枠体５９、６１の組付け作業の効率を高めることができる。また、枠体５９、６１の差込溝部５９ａ、６１ａに差し込んだ外板６２、６４の周縁部６２ａ、６４ａに断熱材の発泡ウレタン６３、６５が密着することで、パネル部５８、６０と枠体５９、６１の間に気密性を確保するためのシール材が不要となり、簡略な構造において気密性を向上させることができる。
【００３５】
また、枠体５９、６１のパッキン支持部５９ｂ、６１ｂおよび本体部５９ｃ、６１ｃが中空状をなして内部に空気層を形成することにより、枠体５９、６１を通した熱伝達を抑制して断熱性を向上させることができる。
【図面の簡単な説明】
【００３６】
【図１】本発明の実施の形態における空気調和機の点検扉構造を示す断面図
【図２】同実施の形態における空気調和機を示す正面図
【図３】同実施の形態における空気調和機の点検扉のハンドル構造を示すものであり、（ａ）は正面図、（ｂ）は側面図
【図４】同実施の形態における空気調和機の点検扉構造の壁体を示す分解斜視図
【図５】同実施の形態における空気調和機の点検扉構造の扉体を示す分解斜視図
【図６】本発明の他の実施の形態における空気調和機の点検扉構造を示す断面図
【図７】同実施の形態における空気調和機を示す正面図
【図８】本発明の他の実施の形態における空気調和機を示す正面図
【図９】従来の空気調和機を示す斜視図
【図１０】同空気調和機の点検扉構造を示す断面図
【図１１】従来の他の空気調和機を示す斜視図
【図１２】同空気調和機の点検扉構造を示す断面図
【符号の説明】
【００３７】
５１    空気調和機
５２    壁体
５３    扉体
５４    ヒンジ
５５    ハンドル
５６    キー部
５７    金具
５８、６０    パネル部
５９、６１    枠体
５９ａ、６１ａ  差込溝部
５９ｂ、６１ｂ  パッキン支持部
５９ｃ、６１ｃ  本体部
５９ｄ、６１ｄ  凸部
６２、６４    外板
６３、６５    発泡ウレタン
６２ａ、６４ａ  周縁部
６６、６７  パッキン
【図１】
2007032947.tif 000003
【図２】
2007032947.tif 000004
【図３】
2007032947.tif 000005
【図４】
2007032947.tif 000006
【図５】
2007032947.tif 000007
【図６】
2007032947.tif 000008
【図７】
2007032947.tif 000009
【図８】
2007032947.tif 000010
【図９】
2007032947.tif 000011
【図１０】
2007032947.tif 000012
【図１１】
2007032947.tif 000013
【図１２】
2007032947.tif 000014